(57)【特許請求の範囲】
【請求項１】
２線で接続されたドアホン子機（１）とインターホン親機（２）からなり、来訪者が前記ドアホン子機の呼出ボタン（ＳＷ1）を押して呼出回路（１１）から呼出信号（ｆ1）を送出することにより前記インターホン親機の呼出検出回路（２１）で呼出検出し、チャイム音発生器（２３）からチャイム信号（ｆ2）を発生させ信号選択回路（２４）およびアンプ（２５）を介して親機スピーカ（ＳＰ2）からチャイム音を放音させ、ハンドセット（３）を取り上げることにより、フック検出回路（２６）がそれを検出し、通話回路（２２）を介して前記インターホン親機の前記ハンドセットと前記ドアホン子機の通話回路（１２）を介して子機スピーカ（ＳＰ1）およびマイク（ＭＩＣ1）との間で通話ができるインターホン装置であって、
前記呼出ボタンを押し続けることにより前記呼出回路から前記呼出信号が連続して送出された場合、連続した前記呼出信号を前記呼出検出回路において所定時間だけ呼出検出したとき前記インターホン親機の前記通話回路および前記信号選択回路を前記呼出ボタンを押し続けている間のみ動作させて前記信号選択回路を前記通話回路側に切り替えることにより前記マイクへ入力された前記来訪者の音声である呼出音声信号（ｆ5）を前記通話回路、前記信号選択回路を経由し前記アンプを介して前記親機スピーカから前記来訪者の音声として放音させる制御回路（２７）を備えたことを特徴とするインターホン装置。
【発明の詳細な説明】
【０００１】
【発明の属する技術分野】
【０００２】
本発明は、玄関等に子機を設置し、宅内に親機を設置したインターホン装置に係わり、特に来訪者の報知を容易に確認することが可能なインターホン装置に関する。
【従来の技術】
【０００３】
従来から、この種のインターホン装置として、図２に示すものや特開平８−２８０００５号公報のテレビドアホン装置などが提案されている。
【０００４】
図２に示すインターホン装置は、２線の信号線からなる伝送路Ｌ51を介して接続されているドアホン子機５１と、インターホン親機５２とが設けられている。
【０００５】
ドアホン子機５１には、来訪者がインターホン親機５２側の居住者を呼び出すために押下操作する呼出ボタンＳＷ51が接続されている呼出回路６１と、インターホン親機５２側の居住者との通話のための音声信号ｆ54の送受を行うために用いられる子機スピーカＳＰ51およびマイクＭＩＣ51が接続されている通話回路６２とが備えられている。
【０００６】
インターホン親機５２には、ドアホン子機５１の呼出ボタンＳＷ51が押下操作されたことを検出する呼出検出回路７１と、居住者が来訪者との通話のための音声信号ｆ54の送受を行うために用いるハンドセット５３が接続されている通話回路７２と、チャイム信号ｆ52を生成送出するチャイム音発生器７３と、アンプ７４と、ハンドセット５３のオン／オフ状態をフック検出するフック検出回路７５と、制御回路７６と、前述のチャイム信号ｆ52を入力することによりチャイム音を放音する親機スピーカＳＰ52と、ＡＣ100Ｖ電源に接続されている電源回路７７と、電源回路７７を介した電源を装置の各部（回路）に供給する給電回路７８とが備えられている。
【０００７】
入力側に呼出ボタンＳＷ51が接続されている呼出回路６１の出力側と、一方に子機スピーカＳＰ51およびマイクＭＩＣ51が接続されている通話回路６２の他方は、子機側端子Ｔ51および伝送路Ｌ51を介して親機側端子Ｔ52に夫々接続されている。
【０００８】
呼出検出回路７１の入力側および通話回路７２は親機側端子Ｔ52に夫々接続されており、呼出検出回路７１の出力側およびフック検出回路７５の出力側は制御回路７６の入力側に夫々接続されている。また、制御回路７６の出力側は通話回路７２、チャイム音発生器７３の入力側、およびアンプ７４に夫々接続されている。更に、チャイム音発生器７３の出力側はアンプ７４を介して親機スピーカＳＰ52に接続されている。
【０００９】
このように構成されたインターホン装置において、インターホン親機５２に給電されるＡＣ100Ｖ電源は、電源回路７７より給電回路７８を介してインターホン親機５２内の各部（回路）、および伝送路Ｌ51を介してドアホン子機５１内の各部（回路）に常時供給（給電）されている。
【００１０】
来訪者がインターホン親機５２側の居住者を呼び出すために、ドアホン子機５１の呼出ボタンＳＷ51を押下操作することにより、呼出回路６１から呼出信号ｆ51が生成送出される。この呼出信号ｆ51は、子機側端子Ｔ51→伝送路Ｌ51→親機側端子Ｔ52を介して呼出検出回路７１にて検出され、呼出検出信号ｆ55として制御回路７６に入力される。
【００１１】
呼出検出信号ｆ55を入力検知した制御回路７６は、チャイム音発生器７３を能動にし、アンプ７４のアンプゲインを上げることから、チャイム音発生器７３より生成送出されるチャイム信号ｆ52は、アンプ７４を介し増幅されて親機スピーカＳＰ52よりチャイム音として放音される。
【００１２】
よって、チャイム音の放音により来訪者の存在を確認したインターホン親機５２側の居住者が、来訪者との通話応対のためにハンドセット５３をフックオフし応対操作することにより、フック検出回路７５にて該フックオフが検出されると、フック検出信号ｆ53が制御回路７６に送出される。
【００１３】
フック検出信号ｆ53を入力検知した制御回路７６は、通話回路７２を制御し、伝送路Ｌ51とハンドセット５３が接続された通話線路Ｌ52とを通話状態にすることから、居住者と来訪者は、夫々、インターホン親機５２の通話回路７２に接続されたハンドセット５３、ドアホン子機５１の通話回路６２に接続された子機スピーカＳＰ51およびマイクＭＩＣ51を用いることにより、通話回路７２により通話状態にされた伝送路Ｌ51および通話線路Ｌ52を介して通話のための音声信号ｆ54の送受が可能となり通話が成立する。
【００１４】
また、特開平８−２８０００５号公報に提案されているテレビドアホン装置においては、テレビドアホン装置をなすカメラ子機の呼出回路とカメラユニット間にブランキング重畳回路を設けることにより、来訪者が呼出ボタンを押下し続けている間には映像信号のブランキング部分に呼び出し操作時の呼出ボタン操作信号を重畳させて、その信号をモニタ付親機側のブランキング検出回路にて検出し、拡声回路を起動させて、子機側の音声を親機側で拡声出力することにより来訪者が自分を名乗ることができることから、宅内の者がわざわざモニタにて確認せずとも来訪者が上述の機能を知り得る身内の者であることが容易に判断できた。
【発明が解決しようとする課題】
【００１５】
しかしながら、従来のインターホン装置は以上のように構成されているので、図２に示すインターホン装置においては、呼出操作を行った来訪者が誰なのか親機側の居住者が判別できないという難点があった。更に、特開平８−２８０００５号公報に提案されているテレビドアホン装置においては、ブランキング（重畳、検出）回路を複数設けることで回路が複雑となり、また子機および親機に夫々テレビカメラ（ユニット）、ＣＲＴモニタを付加させたものにしか適用できないといった難点があった。
【００１６】
本発明は、このような難点を解消するためになされたもので、ドアホン子機の呼出ボタンが押下操作される呼出操作時において、特定の操作を用いた場合にのみドアホン子機からの音声をインターホン親機のスピーカにて出力させることにより、呼出操作時に来訪者の判別が容易に可能となり、防犯性および利便性を大いに向上させるインターホン装置を提供することを目的とする。
【課題を解決するための手段】
【００１７】
このような目的を達成するため本発明のインターホン装置は、２線で接続されたドアホン子機とインターホン親機からなり、来訪者がドアホン子機の呼出ボタンを押して呼出回路から呼出信号を送出することによりインターホン親機の呼出検出回路で呼出検出し、チャイム音発生器からチャイム信号を発生させ信号選択回路およびアンプを介して親機スピーカからチャイム音を放音させ、ハンドセットを取り上げることにより、フック検出回路がそれを検出し、通話回路を介してインターホン親機のハンドセットとドアホン子機の通話回路を介して子機スピーカおよびマイクとの間で通話ができるインターホン装置であって、呼出ボタンを押し続けることにより呼出回路から呼出信号が連続して送出された場合、連続した呼出信号を呼出検出回路において所定時間だけ呼出検出したときインターホン親機の通話回路および信号選択回路を呼出ボタンを押し続けている間のみ動作させて信号選択回路を通話回路側に切り替えることによりマイクへ入力された来訪者の音声である呼出音声信号を通話回路、信号選択回路を経由しアンプを介して親機スピーカから来訪者の音声として放音させる制御回路を備えたものである。
【００１８】
このようなインターホン装置において、インターホン親機側の居住者を呼び出すために、来訪者が呼出ボタンを連続して押下操作するような特定の呼出操作時には、親機の呼出検出回路にて呼出検出される呼出操作時間内である所定の時間にのみ、制御回路が信号選択回路および通話回路を夫々能動にすることにより、呼出操作時において子機のマイクに入力される来訪者の音声が、該親機スピーカにて出力されることから、親機内の居住者は来訪者の判別が容易に可能となる。
【発明の実施の形態】
【００１９】
以下、本発明のインターホン装置をその一実施例について図面を参照して説明する。
【００２０】
図１に示すインターホン装置は、２線の信号線からなる伝送路Ｌ1を介して接続されているドアホン子機１と、インターホン親機２とが設けられている。
【００２１】
ドアホン子機１には、来訪者がインターホン親機２側の居住者を呼び出すために押下操作する呼出ボタンＳＷ1が接続されている呼出回路１１と、インターホン親機２側の居住者との通話のための音声信号ｆ4の送受を行うために用いられる子機スピーカＳＰ1およびマイクＭＩＣ1が接続されている通話回路１２とが備えられている。
【００２２】
インターホン親機２には、ドアホン子機１の呼出ボタンＳＷ1が押下操作されたことを検出する呼出検出回路２１と、居住者が来訪者との通話のための音声信号ｆ4の送受を行うために用いるハンドセット３が接続されている通話回路２２と、チャイム信号ｆ2を生成送出するチャイム音発生器２３と、後述するドアホン子機１の呼出ボタンＳＷ1を連続して押下操作した際の来訪者の音声である呼出音声信号ｆ5と、前述のチャイム信号ｆ2とを選択して通過させる信号選択回路２４と、アンプ２５と、ハンドセット３のオン／オフ状態をフック検出するフック検出回路２６と、制御回路２７と、前述のチャイム信号ｆ2を入力することによりチャイム音を放音する親機スピーカＳＰ2と、ＡＣ100Ｖ電源に接続されている電源回路２８と、電源回路２８を介した電源を装置の各部（回路）に供給する給電回路２９とが備えられている。
【００２３】
入力側に呼出ボタンＳＷ1が接続されている呼出回路１１の出力側と、一方に子機スピーカＳＰ1およびマイクＭＩＣ1が接続されている通話回路１２の他方は、子機側端子Ｔ1および伝送路Ｌ1を介して親機側端子Ｔ2に夫々接続されている。
【００２４】
呼出検出回路２１の入力側および通話回路２２は親機側端子Ｔ2に夫々接続されており、呼出検出回路２１の出力側およびフック検出回路２６の出力側は制御回路２７の入力側に夫々接続されている。また、制御回路２７の出力側は通話回路２２、チャイム音発生器２３の入力側、信号選択回路２４、アンプ２５に夫々接続されている。
【００２５】
更に、通話回路２２は、信号選択回路２４およびアンプ２５を介して親機スピーカＳＰ2に接続されている。
【００２６】
このように構成されたインターホン装置において、以下、その動作について説明する。
【００２７】
インターホン親機２に給電されるＡＣ100Ｖ電源は、電源回路２８より給電回路２９を介してインターホン親機２内の各部（回路）、および伝送路Ｌ1を介してドアホン子機１内の各部（回路）に常時供給（給電）されている。
【００２８】
ドアホン子機１にて呼出操作を行う来訪者が、例えば、インターホン親機２側の居住者の知り得る身内の者等であった場合に、その来訪者がドアホン子機１の呼出ボタンＳＷ1を連続して押下操作するような特定の呼出操作を行うことにより、呼出検出回路１１から呼出信号ｆ1が連続して生成送出される。この呼出信号ｆ1は、子機側端子Ｔ1→伝送路Ｌ1→親機側端子Ｔ2を介して呼出検出回路２１にて検出され、呼出検出信号ｆ6として制御回路２７に連続して入力される。
【００２９】
呼出検出信号ｆ6を検知した制御回路２７は、チャイム音発生器２３を能動にし、アンプ２５のアンプゲインを上げることから、チャイム音発生器２３より生成送出されるチャイム信号ｆ2は、信号選択回路２４を介しアンプ２５にて増幅されて親機スピーカＳＰ2よりチャイム音として放音される。
【００３０】
また、上述の呼出検出信号ｆ6がある一定時間連続して入力された制御回路２７は、通話回路２２を能動にし、信号選択回路２４を切り替えることにより、通話回路２２を介する信号を切り替えられた信号選択回路２４を通過させてアンプ２５に送出することから、来訪者がドアホン子機１の呼出ボタンＳＷ1を連続して押下操作している呼出操作時において、マイクＭＩＣ1に入力される呼出時の来訪者の音声である呼出音声信号ｆ5は、ドアホン子機１の通話回路１２→子機側端子Ｔ1→伝送路Ｌ1→親機側端子Ｔ2→インターホン親機２の通話回路２２を介して切り替えられた信号選択回路２４を通過し、アンプ２５にて増幅されて親機スピーカＳＰ2より来訪者の音声として放音される。
【００３１】
よって、インターホン親機２側の居住者は、親機スピーカＳＰ2から放音される来訪者の音声により、来訪者が居住者の知り得る身内の者等と容易に判別が可能となり、来訪者を判別後にハンドセット３をフックオフし応答操作をすることができる。よって、フック検出回路２６にて該フックオフが検出されると、フック検出信号ｆ3が制御回路２７に送出される。
【００３２】
フック検出信号ｆ3を入力検知した制御回路２７は、通話回路２２を制御し、伝送路Ｌ1とハンドセット３が接続された通話線路Ｌ2とを通話状態にすることから、居住者と来訪者は、夫々、インターホン親機２の通話回路２２に接続されたハンドセット３、ドアホン子機１の通話回路１２に接続された子機スピーカＳＰ1およびマイクＭＩＣ1を用いることにより、通話回路２２により通話状態にされた伝送路Ｌ1および通話線路Ｌ2を介して通話のための音声信号ｆ4の送受が可能となり通話が成立する。
【００３３】
尚、上述では来訪者がドアホン子機１の呼出ボタンＳＷ1を連続して押下操作するような特定の呼出操作時について説明したが、来訪者がドアホン子機１の呼出ボタンＳＷ1を連続して押下せずに呼出操作した際、呼出回路１１から生成送出される呼出信号ｆ1は、上述と同様に子機側端子Ｔ1→伝送路Ｌ1→親機側端子Ｔ2を介して呼出検出回路２１にて検出され、呼出検出信号ｆ6として制御回路２７に入力される。
【００３４】
呼出検出信号ｆ6を入力検知した制御回路２７は、チャイム音発生器２３を能動にし、アンプ２５のアンプゲインを上げることから、チャイム音発生器２３より生成送出されるチャイム信号ｆ2は、信号選択回路２４を介しアンプ２５にて増幅されて親機スピーカＳＰ2よりチャイム音として放音される。
【００３５】
よって、インターホン親機２側の居住者はチャイム音の放音により来訪者の存在を確認した後、来訪者との通話応対のためにハンドセット３をフックオフし応対操作することにより、フック検出回路２６にて該フックオフが検出されると、フック検出信号ｆ3が制御回路２７に送出される。
【００３６】
フック検出信号ｆ3を入力検知した制御回路２７は、上述の特定の呼出操作時と同様に通話回路２２を制御し、伝送路Ｌ1とハンドセット３が接続された通話線路Ｌ2とを通話状態にすることから、居住者と来訪者は、夫々、インターホン親機２の通話回路２２に接続されたハンドセット３、ドアホン子機１の通話回路１２に接続された子機スピーカＳＰ1およびマイクＭＩＣ1を用いることにより、通話回路２２により通話状態にされた伝送路Ｌ1および通話線路Ｌ2を介して通話のための音声信号ｆ4の送受が可能となり通話が成立する。
【発明の効果】
【００３７】
以上の説明から明らかなように、本発明のインターホン装置によれば、来訪者が居住者を呼び出すためにドアホン子機の呼出ボタンを連続して押下するような特定の呼出操作時において、ドアホン子機のマイクに入力される来訪者の音声をインターホン親機の（親機）スピーカから放音させるように構成したので、来訪者の音声から来訪者が本機能を知り得る身内の者であることが容易に判別できることにより、防犯のために玄関等に備えられる鍵（施錠）を直ちに解錠できるなど、利便性を大いに向上させることができるとともに、防犯性を向上することもできる。
【図面の簡単な説明】
【図１】本発明のインターホン装置の一実施例を示すブロック図。
【図２】従来のインターホン装置を示すブロック図。
【符号の説明】
１‥‥‥ドアホン子機
２‥‥‥インターホン親機
３‥‥‥ハンドセット
１１‥‥‥呼出回路
１２、２２‥‥‥通話回路
２１‥‥‥呼出検出回路
２３‥‥‥チャイム音発生器
２４‥‥‥信号選択回路
２５‥‥‥アンプ
２６‥‥‥フック検出回路
２７‥‥‥制御回路
ＳＷ1‥‥‥呼出ボタン
ＳＰ1‥‥‥子機スピーカ
ＭＩＣ1‥‥‥マイク
ＳＰ2‥‥‥親機スピーカ
ｆ1‥‥‥呼出信号
ｆ2‥‥‥チャイム信号
ｆ5‥‥‥来訪者の音声である呼出音声信号
【図１】
0003758837.tif 000002
【図２】
0003758837.tif 000003